(57)【要約】【課題】ノイズの影響を減らし、同期分離を安定させる。【解決手段】水平信号ＨＤ１、垂直信号ＶＤ１のエッジ幅が所定幅以上のときに限り極性を変えて水平検出信号ＨＤ２、垂直検出信号ＶＤ２を出力するエッジ検出回路１０１と、水平検出信号ＨＤ２の有効極性期間をマスク信号ＭＳの有効極性期間内に限ってカウントする極性カウンタ回路９０３と、第１のカウント値ＣＮＴ１に基づいてカウント開始する水平カウンタ回路９０４と、マスク信号ＭＳを第２のカウント値ＣＮＴ２に基づいて生成するマスク作成回路９０５と、第２のカウント値ＣＮＴ２に基づいて水平同期出力信号ＨＳを出力する水平同期作成回路９０６と、第２のカウント値ＣＮＴ２に基づいて垂直検出信号の有効極性期間をカウント開始する垂直カウンタ回路１０２と、第３のカウント値ＣＮＴ３に基づいて垂直同期出力信号ＶＳを出力する垂直同期作成回路９０７を備える。【選択図】  図１
2004194093.tif 000002
【特許請求の範囲】
【請求項１】
入力した水平信号のエッジ幅が所定幅以上のときに限り極性を変えて水平検出信号を出力するとともに、入力した垂直信号のエッジ幅が所定幅以上のときに限り極性を変えて垂直検出信号を出力するエッジ検出回路と、
前記エッジ検出回路からの前記水平検出信号の有効極性期間をマスク信号の有効極性期間内に限ってカウントする極性カウンタ回路と、
前記極性カウンタ回路による第１のカウント値が所定値に達すると初期化の上でクロック信号をカウント開始する水平カウンタ回路と、
前記極性カウンタ回路に与える前記マスク信号を前記水平カウンタ回路による第２のカウント値が初期値から所定値までは無効で前記所定値を超えると有効とする状態で生成するマスク作成回路と、
前記第２のカウント値の初期化のタイミングに同期して水平同期出力信号を出力する水平同期作成回路と、
前記第２のカウント値が所定値以上になると前記エッジ検出回路からの前記垂直検出信号の有効極性期間をカウント開始する垂直カウンタ回路と、
前記垂直カウンタ回路による第３のカウント値が所定値に達するタイミングに同期して垂直同期出力信号を出力する垂直同期作成回路とを具備することを特徴とする同期分離回路。
【請求項２】
さらに、入力した水平同期信号と垂直同期信号か、入力した複合同期信号かをセレクト信号によって選択し、それぞれ前記水平信号と垂直信号として出力するセレクタ回路を備えている請求項１に記載の同期分離回路。
【請求項３】
入力した複合同期信号のエッジ幅が所定幅以上のときに限り極性を変えて水平検出信号を出力するとともに、入力した垂直信号のエッジ幅が所定幅以上のときに限り極性を変えて垂直検出信号を出力するエッジ検出回路と、前記エッジ検出回路からの前記水平検出信号の有効極性期間をマスク信号の有効極性期間内に限ってカウントする極性カウンタ回路と、
前記極性カウンタ回路による第１のカウント値が所定値に達すると初期化の上でクロック信号をカウント開始する水平カウンタ回路と、
前記極性カウンタ回路に与える前記マスク信号を前記水平カウンタ回路による第２のカウント値が初期値から所定値までは無効で前記所定値を超えると有効とする状態で生成するマスク作成回路と、
前記第２のカウント値の初期化のタイミングに同期して水平同期出力信号を出力する水平同期作成回路と、
前記エッジ検出回路による前記水平検出信号と前記垂直検出信号をセレクト信号に応じて選択して垂直セレクト信号を出力するセレクタ回路と、
前記第２のカウント値が所定値以上になると前記セレクタ回路からの前記垂直セレクト信号の有効極性期間をカウント開始する垂直カウンタ回路と、
前記垂直カウンタ回路による第３のカウント値が所定値に達するタイミングに同期して垂直同期出力信号を出力する垂直同期作成回路とを具備することを特徴とする同期分離回路。
【請求項４】
入力した複合同期信号のエッジ幅が所定幅以上のときに限り極性を変えて水平検出信号を出力するエッジ検出回路と、
前記エッジ検出回路からの前記水平検出信号の有効極性期間をマスク信号の有効極性期間内に限ってカウントする極性カウンタ回路と、
前記極性カウンタ回路による第１のカウント値が所定値に達すると初期化の上でクロック信号をカウント開始する水平カウンタ回路と、
前記極性カウンタ回路に与える前記マスク信号を前記水平カウンタ回路による第２のカウント値が初期値から所定値までは無効で前記所定値を超えると有効とする状態で生成するマスク作成回路と、
前記第２のカウント値の初期化のタイミングに同期して水平同期出力信号を出力する水平同期作成回路と、
前記第２のカウント値が所定値以上になると前記エッジ検出回路による前記水平検出信号の有効極性期間をカウント開始する垂直カウンタ回路と、
前記垂直カウンタ回路による第３のカウント値が所定値に達するタイミングに同期して垂直同期出力信号を出力する垂直同期作成回路とを具備することを特徴とする同期分離回路。
【発明の詳細な説明】
【０００１】
【発明の属する技術分野】
この発明は、映像信号から分離された複合同期信号や、水平同期信号と垂直同期信号が不安定な場合でも安定した同期を実現するための同期分離回路に関する。
【０００２】
【従来の技術】
近年のカーナビゲーションシステムでは、テレビジョン放送、ＤＶＤやＣＤからの地図情報、ＧＰＳからの情報などの様々な映像を表示することができる。カーナビゲーションシステムは車内に取り付けられるため、山間部における電波障害やノイズなどによって、映像信号から分離された複合同期信号や、水平同期信号と垂直同期信号の欠落、ノイズ等によって表示画面が乱れてしまう。
【０００３】
図８は液晶表示システム例で、映像信号から分離された複合同期信号ＣＳＹＮＣや、水平同期信号ＨＤと垂直同期信号ＶＤの欠落や位相の乱れによる表示画面の乱れを防ぐために、タイミングコントローラＩＣ０４内に同期分離回路００４が設けられている。０１はクロマＩＣ、０２は同期分離回路、０３は映像信号処理回路、０５は同期制御回路、０６は同期信号生成回路、０７は映像信号処理回路、０８はＬＣＤパネル等の表示デバイスである。
【０００４】
図９は図８に示す同期分離回路００４の回路構成であり、セレクタ回路９０１と、エッジ検出回路９０２と、極性カウンタ回路９０３と、水平カウンタ回路９０４と、マスク作成回路９０５と、水平同期作成回路９０６と、垂直同期作成回路９０７とを備えている。
【０００５】
以下、図９に示した従来の同期分離回路００４について説明する。
【０００６】
セレクタ回路９０１は、複合同期信号ＣＳＹＮＣと水平同期信号ＨＤと垂直同期信号ＶＤを入力とし、セレクト信号ＳＥによって複合同期信号ＣＳＹＮＣを水平信号ＨＤ１と垂直信号ＶＤ１として出力するか、あるいは、水平同期信号ＨＤを水平信号ＨＤ１として、また垂直同期信号ＶＤを垂直信号ＶＤ１として出力する。
【０００７】
エッジ検出回路９０２は、水平信号ＨＤ１を入力とし、有効エッジのみ水平検出信号ＨＤ２として出力する。このエッジ検出回路９０２はノイズの影響を直接に受けるものとなっている。
【０００８】
極性カウンタ回路９０３は、マスク作成回路９０５のマスク信号ＭＳが非有効極性期間内に、水平検出信号ＨＤ２が有効極性になったタイミングで初期値となり、水平検出信号ＨＤ２の有効極性期間を外部から入力されるクロック信号ＣＬＫでカウントし、所定の値までカウントするとカウントを止める第１のカウント値ＣＮＴ１を出力する。
【０００９】
水平カウンタ回路９０４は、第１のカウント値ＣＮＴ１が所定の値となると初期値となり、それ以外は外部から入力されるクロック信号ＣＬＫをカウントする第２のカウント値ＣＮＴ２を出力する。
【００１０】
マスク作成回路９０５は、第２のカウント値ＣＮＴ２が初期値から所定値までは無効で前記所定値を超えると有効極性となるマスク信号ＭＳを出力する。
【００１１】
水平同期作成回路９０６は、第２のカウント値ＣＮＴ２の初期化のタイミングに同期して水平同期出力信号ＨＳを出力する。
【００１２】
垂直同期作成回路９０７は、第２のカウント値ＣＮＴ２が所定の範囲にあることを条件に、垂直信号ＶＤ１が有効極性のときに垂直同期出力信号を出力する。
【００１３】
以上のように制御することで、水平同期出力信号ＨＳと垂直同期出力信号ＶＳを所定の周期で出力し、表示を制御している。
【００１４】
図１０はノイズが多いときの従来の同期分離回路の動作を示している。
【００１５】
図１０中の１００１は複合同期信号ＣＳＹＮＣ中のノイズを間違えて水平同期部と認識している個所、１００２は複合同期信号ＣＳＹＮＣ中のノイズを間違えて垂直同期部と認識している個所、１００３は本来垂直同期と認識し始めるべき個所を示している。
【００１６】
【特許文献１】
特開２０００−１３８８４２号公報（第４〜５頁、図３）
【００１７】
【発明が解決しようとする課題】
図９に示した従来の同期分離回路では、図１０に示すように、複合同期信号ＣＳＹＮＣ中にノイズが多くなると、エッジ検出回路９０２では有効極性と同じエッジのみ出力するので、ノイズを間違えて水平同期部や垂直同期部と判断し、正常なタイミングで同期が合わなくなり、映像を安定して出力できなくなる可能性がある。
【００１８】
この発明は上記のような問題を解決するためになされたものであり、その目的は、安定した同期分離回路を提供することである。
【００１９】
【課題を解決するための手段】
上記の課題を解決するために、本発明は次のような手段を講じる。
【００２０】
第１の解決手段として、本発明による同期分離回路は、入力した水平信号のエッジ幅が所定幅以上のときに限り極性を変えて水平検出信号を出力するとともに、入力した垂直信号のエッジ幅が所定幅以上のときに限り極性を変えて垂直検出信号を出力するエッジ検出回路と、前記エッジ検出回路からの前記水平検出信号の有効極性期間をマスク信号の有効極性期間内に限ってカウントする極性カウンタ回路と、前記極性カウンタ回路による第１のカウント値が所定値に達すると初期化の上でクロック信号をカウント開始する水平カウンタ回路と、前記極性カウンタ回路に与える前記マスク信号を前記水平カウンタ回路による第２のカウント値が初期値から所定値までは無効で前記所定値を超えると有効とする状態で生成するマスク作成回路と、前記第２のカウント値の初期化のタイミングに同期して水平同期出力信号を出力する水平同期作成回路と、前記第２のカウント値が所定値以上になると前記エッジ検出回路からの前記垂直検出信号の有効極性期間をカウント開始する垂直カウンタ回路と、前記垂直カウンタ回路による第３のカウント値が所定値に達するタイミングに同期して垂直同期出力信号を出力する垂直同期作成回路とを具備するものである。従来技術との比較で特徴とする点は、エッジ検出回路の構成と、垂直カウンタ回路を追加したことである。
【００２１】
この構成による作用は次のとおりである。エッジ検出回路は、水平信号および垂直信号を入力し、それぞれのエッジ幅を検出し、所定幅以上のときに限り極性を変えて水平検出信号および垂直検出信号を出力する。したがって、水平同期信号、垂直同期信号または複合同期信号に重畳されたノイズの影響を水平検出信号および垂直検出信号において排除することができる。ノイズの影響を排除された水平検出信号をもとにする極性カウンタ回路、水平カウンタ回路、マスク作成回路、水平同期作成回路の動作はノイズの影響から免れることになり、水平同期作成回路が出力する水平同期出力信号はタイミング的に正常な信号となる。また、垂直カウンタ回路を設け、ノイズの影響を排除した水平検出信号に基づく第２のカウント値を制御信号として、同じくノイズの影響を排除した垂直検出信号をカウントし、その第３のカウント値を制御信号として垂直同期作成回路が垂直同期出力信号を出力するので、この垂直同期出力信号もタイミング的に正常な信号となる。以上の相乗により、映像の表示が安定したものとなる。
【００２２】
なお、第１の解決手段においては、上記構成に加えて、セレクタ回路を設け、このセレクタ回路によって、入力した水平同期信号と垂直同期信号か、入力した複合同期信号かをセレクト信号によって選択し、それぞれ前記水平信号と垂直信号として出力するように構成することが可能である。
【００２３】
第２の解決手段として、本発明による同期分離回路は、入力した複合同期信号のエッジ幅が所定幅以上のときに限り極性を変えて水平検出信号を出力するとともに、入力した垂直信号のエッジ幅が所定幅以上のときに限り極性を変えて垂直検出信号を出力するエッジ検出回路と、前記エッジ検出回路からの前記水平検出信号の有効極性期間をマスク信号の有効極性期間内に限ってカウントする極性カウンタ回路と、前記極性カウンタ回路による第１のカウント値が所定値に達すると初期化の上でクロック信号をカウント開始する水平カウンタ回路と、前記極性カウンタ回路に与える前記マスク信号を前記水平カウンタ回路による第２のカウント値が初期値から所定値までは無効で前記所定値を超えると有効とする状態で生成するマスク作成回路と、前記第２のカウント値の初期化のタイミングに同期して水平同期出力信号を出力する水平同期作成回路と、前記エッジ検出回路による前記水平検出信号と前記垂直検出信号をセレクト信号に応じて選択して垂直セレクト信号を出力するセレクタ回路と、前記第２のカウント値が所定値以上になると前記セレクタ回路からの前記垂直セレクト信号の有効極性期間をカウント開始する垂直カウンタ回路と、前記垂直カウンタ回路による第３のカウント値が所定値に達するタイミングに同期して垂直同期出力信号を出力する垂直同期作成回路とを具備するものである。従来技術との比較で特徴とする点は、エッジ検出回路の構成と、セレクタ回路と垂直カウンタ回路を追加したことである。第１の解決手段との比較では、水平信号に代えて複合同期信号を用いること、およびセレクタ回路の存在が相違する。
【００２４】
この構成による作用は次のとおりである。エッジ検出回路は、複合同期信号および垂直信号を入力し、それぞれのエッジ幅を検出し、所定幅以上のときに限り極性を変えて水平検出信号および垂直検出信号を出力する。したがって、垂直同期信号または複合同期信号に重畳されたノイズの影響を水平検出信号および垂直検出信号において排除することができる。ノイズの影響を排除された水平検出信号をもとにする極性カウンタ回路、水平カウンタ回路、マスク作成回路、水平同期作成回路の動作はノイズの影響から免れることになり、水平同期作成回路が出力する水平同期出力信号はタイミング的に正常な信号となる。また、垂直カウンタ回路を設け、ノイズの影響を排除した水平検出信号に基づく第２のカウント値を制御信号として、同じくノイズの影響を排除したセレクタ回路からの垂直検出信号をカウントし、その第３のカウント値を制御信号として垂直同期作成回路が垂直同期出力信号を出力するので、この垂直同期出力信号もタイミング的に正常な信号となる。以上の相乗により、映像の表示が安定したものとなる。さらに、セレクタ回路を設けて、垂直カウンタ回路に入力する信号として水平検出信号と垂直検出信号との選択が行えるようにしたので、同期制御回路の要・不要の多様性を確保することができる。
【００２５】
第３の解決手段として、本発明による同期分離回路は、入力した複合同期信号のエッジ幅が所定幅以上のときに限り極性を変えて水平検出信号を出力するエッジ検出回路と、前記エッジ検出回路からの前記水平検出信号の有効極性期間をマスク信号の有効極性期間内に限ってカウントする極性カウンタ回路と、前記極性カウンタ回路による第１のカウント値が所定値に達すると初期化の上でクロック信号をカウント開始する水平カウンタ回路と、前記極性カウンタ回路に与える前記マスク信号を前記水平カウンタ回路による第２のカウント値が初期値から所定値までは無効で前記所定値を超えると有効とする状態で生成するマスク作成回路と、前記第２のカウント値の初期化のタイミングに同期して水平同期出力信号を出力する水平同期作成回路と、前記第２のカウント値が所定値以上になると前記エッジ検出回路による前記水平検出信号の有効極性期間をカウント開始する垂直カウンタ回路と、前記垂直カウンタ回路による第３のカウント値が所定値に達するタイミングに同期して垂直同期出力信号を出力する垂直同期作成回路とを具備するものである。従来技術との比較で特徴とする点は、エッジ検出回路の構成と、垂直カウンタ回路を追加したことである。第２の解決手段との比較では、垂直信号を用いずに、複合同期信号のみを用いること、およびセレクタ回路がなく、エッジ検出回路による水平検出信号を垂直カウンタ回路でカウントすることが相違する。
【００２６】
この構成による作用は次のとおりである。ＧＰＳ（グローバル・ポジショニング・システム）によるカーナビゲーション、テレビジョン放送では電波を媒体とするので複合同期信号にノイズに影響が大きいが、ＤＶＤ（Digital Versatile Disk）の場合は記録メディアであるので、複合同期信号の周期の乱れは小さいものである。第３の解決手段は、ＤＶＤに好適なものである。垂直同期出力信号も水平検出信号のカウントに基づいて高精度なものが生成できる。エッジ検出回路において、垂直信号の処理が不要であるので、回路構成を簡素化することができる。また、同期制御回路も不要である。
【００２７】
【発明の実施の形態】
以下、この発明の実施の形態における同期分離回路について図面を参照して詳しく説明する。なお、図中、同一または相当部分には同一の符号を付し、その説明は繰り返さない。
【００２８】
（実施の形態１）
図１は、この発明の実施の形態１による同期分離回路の全体構成を示すブロック図である。図１に示す同期分離回路００１はカーナビゲーションシステム（図示せず）に適用され、テレビジョン放送、ＤＶＤまたはＣＤからの地図情報、ＧＰＳからの情報などの映像と同期した同期信号を、液晶コントローラを介してディスプレイに表示する際の同期信号を生成する回路である。
【００２９】
図１に示す同期分離回路００１は、セレクタ回路９０１と、エッジ検出回路１０１と、極性カウンタ回路９０３と、水平カウンタ回路９０４と、マスク作成回路９０５と、水平同期作成回路９０６と、垂直カウンタ回路１０２と、垂直同期作成回路９０７とを備えている。
【００３０】
セレクタ回路９０１は、複合同期信号ＣＳＹＮＣと水平同期信号ＨＤと垂直同期信号ＶＤを入力とし、セレクト信号ＳＥによって複合同期信号ＣＳＹＮＣを水平信号ＨＤ１と垂直信号ＶＤ１として出力するか、あるいは、水平同期信号ＨＤを水平信号ＨＤ１として、また垂直同期信号ＶＤを垂直信号ＶＤ１として出力する。
【００３１】
エッジ検出回路１０１は、正規の水平信号ＨＤ１をノイズと識別するための回路構成として、３段のフリップフロップＦＦ1〜ＦＦ3と２つの論理積回路ＡＮＤ1，ＡＮＤ2と水平同期検出回路１０１ａを設けている。初段のフリップフロップＦＦ1にセレクタ回路９０１からの水平信号ＨＤ１が入力され、各段のフリップフロップＦＦ1〜ＦＦ3のＱ出力が論理積回路ＡＮＤ1に入力され、ＮＱ出力が論理積回路ＡＮＤ2に入力され、両論理積回路ＡＮＤ1，ＡＮＤ2の出力が水平同期検出回路１０１ａに入力され、水平同期検出回路１０１ａの出力が極性カウンタ回路９０３に水平検出信号ＨＤ２として入力されている。すなわち、水平信号ＨＤ１の“Ｈ”レベル期間が３クロック分以上で立ち上がり、“Ｌ”レベル期間が３クロック分以上で立ち下がる水平検出信号ＨＤ２が極性カウンタ回路９０３に入力される。この水平検出信号ＨＤ２はノイズの影響を排除したものとなっている。
【００３２】
エッジ検出回路１０１は、また、正規の垂直信号ＶＤ１をノイズと識別するための回路構成として、３段のフリップフロップＦＦ4〜ＦＦ6と２つの論理積回路ＡＮＤ3，ＡＮＤ4と垂直同期検出回路１０１ｂを設けている。初段のフリップフロップＦＦ4にセレクタ回路９０１からの垂直信号ＶＤ１が入力され、各段のフリップフロップＦＦ4〜ＦＦ6のＱ出力が論理積回路ＡＮＤ3に入力され、ＮＱ出力が論理積回路ＡＮＤ4に入力され、両論理積回路ＡＮＤ3，ＡＮＤ4の出力が垂直同期検出回路１０１ｂに入力され、垂直同期検出回路１０１ｂの出力が垂直カウンタ回路１０２に垂直検出信号ＶＤ２として入力されている。すなわち、垂直信号ＶＤ１の“Ｈ”レベル期間が３クロック分以上で立ち上がり、“Ｌ”レベル期間が３クロック分以上で立ち下がる垂直検出信号ＶＤ２が垂直カウンタ回路１０２に入力される。この垂直検出信号ＶＤ２はノイズの影響を排除したものとなっている。
【００３３】
極性カウンタ回路９０３は、水平検出信号ＨＤ２の“Ｌ”レベル期間をカウントした第１のカウント値ＣＮＴ１を生成して水平カウンタ回路９０４に出力する。水平カウンタ回路９０４は、極性カウンタ回路９０３から入力した第１のカウント値ＣＮＴ１が所定値ＴＨ１に達したときに初期化された上でクロック信号ＣＬＫのカウントを開始するように構成されている。すなわち、第１のカウント値ＣＮＴ１は水平カウンタ回路９０４のカウント開始タイミングを決定するトリガ信号となっている。
【００３４】
極性カウンタ回路９０３のより詳しい構成は次のとおりである。すなわち、極性カウンタ回路９０３は、水平検出信号ＨＤ２の“Ｌ”レベル期間をカウントするものであるが、それには条件があって、マスク作成回路９０５から受けるマスク信号ＭＳが“Ｌ”レベル期間内に限るということである。マスク信号ＭＳの“Ｌ”レベルは極性カウンタ回路９０３のカウント動作を許可する条件となっている。水平信号ＨＤ１の“Ｌ”レベル期間が３クロック分以上となってノイズの影響を排除した状態で水平検出信号ＨＤ２が立ち下がったときに、マスク信号ＭＳが“Ｌ”レベルのカウント許可状態にあれば、極性カウンタ回路９０３における第１のカウント値ＣＮＴ１は、一旦、初期値とされた上で、水平検出信号ＨＤ２の“Ｌ”レベル期間のカウントを開始する。この第１のカウント値ＣＮＴ１は水平カウンタ回路９０４に対して、そのカウント開始のトリガ信号として与えられる。
【００３５】
水平カウンタ回路９０４は、極性カウンタ回路９０３から与えられた第１のカウント値ＣＮＴ１が所定値ＴＨ１に達すると、一旦、初期値とされた上で、クロック信号ＣＬＫのカウントを開始し、その結果を第２のカウント値ＣＮＴ２としてマスク作成回路９０５、水平同期作成回路９０６および垂直カウンタ回路１０２に出力する。
【００３６】
マスク作成回路９０５は、水平カウンタ回路９０４から与えられた第２のカウント値ＣＮＴ２が初期値から所定値ＴＨ４（ＴＨ２＜ＴＨ４）までの所定範囲内であるときは“Ｌ”レベルとし、それ以外の範囲は“Ｈ”レベルとなるマスク信号ＭＳを出力する。マスク信号ＭＳは、第１のカウント値ＣＮＴ１が所定値ＴＨ１に達し、その結果で第２のカウント値ＣＮＴ２が初期化されると、“Ｈ”レベルにされる。
【００３７】
水平同期作成回路９０６は、水平カウンタ回路９０４から与えられた第２のカウント値ＣＮＴ２が初期化されるタイミングで“Ｌ”レベルとされ、第２のカウント値ＣＮＴ２が所定値ＴＨ２に達すると“Ｈ”レベルにされる水平同期出力信号ＨＳを出力する。
【００３８】
垂直カウンタ回路１０２は、自ら生成する第３のカウント値ＣＮＴ３が初期化されている状態で、水平カウンタ回路９０４から与えられた第２のカウント値ＣＮＴ２が所定値ＴＨ３（ＴＨ２＜ＴＨ３＜ＴＨ４）に達すると、垂直同期検出回路１０１ｂからの垂直検出信号ＶＤ２の“Ｌ”レベル期間のカウントを開始し、その結果を第３のカウント値ＣＮＴ３として垂直同期作成回路９０７に出力する。第３のカウント値ＣＮＴ３は、所定値ＴＨ５に達して再び初期化される。第３のカウント値ＣＮＴ３は、第２のカウント値ＣＮＴ２が所定値ＴＨ３に達するまでは、カウントアップせず、初期値を保つ。第２のカウント値ＣＮＴ２が所定値ＴＨ３に達したときでも、垂直検出信号ＶＤ２が“Ｈ”レベルであれば、垂直検出信号ＶＤ２の“Ｌ”レベル期間をカウントすることが意味をなさず、第３のカウント値ＣＮＴ３は初期値を保つ。
【００３９】
垂直同期作成回路９０７は、垂直カウンタ回路１０２から与えられた第３のカウント値ＣＮＴ３が所定値ＴＨ５に達すると“Ｌ”レベルにされ、第２のカウント値ＣＮＴ２が所定値ＴＨ３に達したときに垂直検出信号ＶＤ２が“Ｈ”レベルであれば、“Ｈ”レベルにされる垂直同期出力信号ＶＳを出力する。
【００４０】
次に、図１に示した同期分離回路００１の動作について説明する。
【００４１】
図２は、ノイズが多いときの水平同期分離の動作を示している。以下、図２を参照しつつ説明する。
【００４２】
セレクタ回路９０１からの水平信号ＨＤ１がエッジ検出回路１０１に入力される。水平信号ＨＤ１の“Ｌ”レベル期間が３クロック分以上となって、図２中の２０１のように、フリップフロップＦＦ1〜ＦＦ3の出力がすべて“Ｌ”レベルになると、論理積回路ＡＮＤ2が導通して、水平検出信号ＨＤ２が立ち下がり、極性カウンタ回路９０３に与えられる。極性カウンタ回路９０３では、マスク作成回路９０５からのマスク信号ＭＳが“Ｌ”レベルのカウント許可状態であるので、第１のカウント値ＣＮＴ１を初期化した上で、水平検出信号ＨＤ２の“Ｌ”レベル期間のカウントを開始する。極性カウンタ回路９０３の第１のカウント値ＣＮＴ１は水平カウンタ回路９０４に与えられ、図２中の２０２のように、第１のカウント値ＣＮＴ１が所定値ＴＨ１に達すると、水平カウンタ回路９０４の第２のカウント値ＣＮＴ２は初期化された上で、クロック信号ＣＬＫのカウントを開始する。これに伴って、水平同期作成回路９０６は、水平同期出力信号ＨＳを“Ｌ”レベルに立ち下げる。第２のカウント値ＣＮＴ２のカウント開始に伴って、マスク作成回路９０５はマスク信号ＭＳを反転し“Ｈ”レベルとする。図２中の２０３のように、ノイズが重畳されても、エッジ検出回路１０１における論理積回路ＡＮＤ1，ＡＮＤ2は反応せず、水平検出信号ＨＤ２に変化はない。
【００４３】
図２中の２０４は、水平信号ＨＤ１の“Ｈ”レベル期間が３クロック分以上であるので水平検出信号ＨＤ２が一旦立ち上がり、水平信号ＨＤ１の“Ｌ”レベル期間が３クロック分以上となったときに水平検出信号ＨＤ２が再び立ち下がるが、このときは既にマスク信号ＭＳが“Ｈ”レベル期間となっているため、極性カウンタ回路９０３はカウント動作が禁止されている。したがって、水平カウンタ回路９０４の第２のカウント値ＣＮＴ２は初期化されることなく、カウント動作を続行する。第２のカウント値ＣＮＴ２が所定値ＴＨ２に達すると、水平同期作成回路９０６の水平同期出力信号ＨＳが“Ｈ”レベルとなる。また、第２のカウント値ＣＮＴ２が所定値ＴＨ４に達すると、マスク作成回路９０５のマスク信号ＭＳが“Ｌ”レベルに反転し、極性カウンタ回路９０３の初期化の準備をする。
図２中の２０５のように、ノイズが重畳されても、エッジ検出回路１０１における論理積回路ＡＮＤ1，ＡＮＤ2は反応せず、水平検出信号ＨＤ２に変化はない。
【００４４】
図２中の２０６は２０１と同様の動作であり、マスク信号ＭＳが“Ｌ”レベルであることから極性カウンタ回路９０３の第１のカウント値ＣＮＴ１が初期化され、水平検出信号ＨＤ２の“Ｌ”レベル期間のカウントを開始し、第１のカウント値ＣＮＴ１が所定値ＴＨ１に達すると、第２のカウント値ＣＮＴ２が初期化されるとともに、水平同期出力信号ＨＳが“Ｌ”レベルに反転する。
【００４５】
図２に示したように、水平同期信号ＨＤにのるノイズの幅が３クロック分より小さければ、エッジ検出回路１０１によってノイズと判断して排除し、水平同期信号ＨＤの有効極性として受け付けない。
【００４６】
図３はノイズが多いときの垂直同期分離の動作を示している。以下、図３を参照しつつ説明する。
【００４７】
エッジ検出回路１０１において、垂直信号ＶＤ１から垂直検出信号ＶＤ２に至るフリップフロップＦＦ4〜ＦＦ6と論理積回路ＡＮＤ3，ＡＮＤ4と垂直同期検出回路１０１ｂの回路構成は、水平信号ＨＤ１から水平検出信号ＨＤ２に至るフリップフロップＦＦ1〜ＦＦ3と論理積回路ＡＮＤ1，ＡＮＤ2と水平同期検出回路１０１ａの回路構成と同様であり、垂直検出信号ＶＤ２にのっているノイズは排除される。水平カウンタ回路９０４からの第２のカウント値ＣＮＴ２が所定値ＴＨ３に達すると、垂直カウンタ回路１０２は第３のカウント値ＣＮＴ３を初期化した上で、垂直検出信号ＶＤ２の“Ｌ”レベル期間のカウントを開始する。これが第３のカウント値ＣＮＴ３であるが、第３のカウント値ＣＮＴ３が所定値ＴＨ５に達すると、垂直同期作成回路９０７は垂直同期出力信号ＶＳを“Ｌ”レベルに立ち下げる。これは図３中の３０１のタイミングである。第２のカウント値ＣＮＴ２が所定値ＴＨ３に達したタイミングで垂直検出信号ＶＤ２が“Ｌ”レベルとなっている状態が繰り返され、この間は垂直同期出力信号ＶＳは“Ｌ”レベルを保つ。
【００４８】
図３中の３０２のように、第２のカウント値ＣＮＴ２が所定値ＴＨ３に達したタイミングで垂直検出信号ＶＤ２が“Ｈ”レベルになっていると、垂直同期出力信号ＶＳは“Ｈ”レベルに立ち上がる。これで、ノイズの影響なく、垂直同期出力信号ＶＳを正しく生成することができる。
【００４９】
図３に示したように、垂直検出信号ＶＤ２はノイズを排除してあり、第２のカウント値ＣＮＴ２もノイズを排除した水平検出信号ＨＤ２を基準に出力しているので、垂直同期出力信号ＶＳを安定して出力することができる。
【００５０】
以上説明したように、ノイズが多い状態で同期分離をする際に、エッジ検出回路１０１において、水平同期信号ＨＤと垂直同期信号ＶＤの有効極性幅を確認することにより、安定した水平同期出力信号ＨＳと垂直同期出力信号ＶＳを出力することができる。
【００５１】
（実施の形態２）
図４は、この発明の実施の形態２による同期分離回路００２の全体構成を示すブロック図である。
【００５２】
図４において、１０１はエッジ検出回路、１０２は垂直カウンタ回路、１０３はセレクタ回路である。
【００５３】
エッジ検出回路１０１は、実施の形態１の場合と同様のものであり、複合同期信号ＣＳＹＮＣと垂直同期信号ＶＤを入力とし、複合同期信号ＣＳＹＮＣの“Ｈ”レベル期間が３クロック分以上で立ち上がり、“Ｌ”レベル期間が３クロック分以上で立ち下がる水平検出信号ＨＤ２と、垂直同期信号ＶＤの“Ｈ”レベル期間が３クロック分以上で立ち上がり、“Ｌ”レベル期間が３クロック分以上で立ち下がる垂直検出信号ＶＤ２を出力する。
【００５４】
セレクタ回路１０３は、エッジ検出回路１０１からの垂直検出信号ＶＤ２と水平検出信号ＨＤ２を入力とし、外部からのセレクト信号ＳＥによって、垂直検出信号ＶＤ２を垂直セレクト信号ＶＤ３として出力するか、水平検出信号ＨＤ２を垂直セレクト信号ＶＤ３として出力するか選択する。
【００５５】
垂直カウンタ回路１０２は、第２のカウント値ＣＮＴ２が所定の範囲にあることを条件に、垂直セレクト信号ＶＤ３が“Ｌ”レベルのときに初期値となり、垂直セレクト信号ＶＤ３の“Ｌ”レベル期間をカウントする第３のカウント値ＣＮＴ３を出力する。
【００５６】
図５は本実施の形態２を用いた液晶表示システム例である。
【００５７】
図５に示したタイミングコントローラＩＣ０４内の同期分離回路００２は、垂直同期出力信号ＶＳがノイズや電波が途切れてしまう等の影響により周期が正常でないときに、垂直同期出力信号ＶＳの代わりに擬似的な垂直同期出力信号ＶＳ′を作成し、出力することにより、垂直方向の同期を安定させる役割を持っている。
【００５８】
ここで、図５に示したクロマＩＣ０１にも同様の同期分離回路０２が設けられており、ノイズや電波が途切れてしまっても、ほぼ安定した周期で垂直同期信号ＶＤが出力されるため、セレクタ回路１０３が垂直検出信号ＶＤ２を選択して、垂直セレクト信号ＶＤ３として出力した際にはタイミングコントローラＩＣ０４内の同期制御回路が不必要となる。
【００５９】
また、セレクタ回路１０３が水平検出信号ＨＤ２を選択して、垂直セレクト信号ＶＤ３として出力した際には、同期制御回路を設けることにより、ノイズや電波が途切れてしまっても、ほぼ安定した周期で出力される。
【００６０】
以上説明したように、複合同期信号ＣＳＹＮＣと垂直同期信号ＶＤを入力し、エッジ検出回路１０１で複合同期信号ＣＳＹＮＣと垂直同期信号ＶＤの有効極性幅を確認することによって、安定した垂直同期出力信号ＶＳと水平同期出力信号ＨＳを出力し、さらに垂直同期信号ＶＤに基づく垂直検出信号ＶＤ２をセレクタ回路１０３にて垂直セレクト信号ＶＤ３として出力することで、タイミングコントローラＩＣ０４内の同期制御回路が不必要となり、タイミングコントローラＩＣ０４の最適な回路構成で安定した同期分離が可能となる。
【００６１】
（実施の形態３）
図６は、この発明の実施の形態３による同期分離回路００３の全体構成を示すブロック図である。
【００６２】
図６において、１０１はエッジ検出回路、１０２は垂直カウンタ回路である。
【００６３】
エッジ検出回路１０１は、複合同期信号ＣＳＹＮＣを入力とし、複合同期信号ＣＳＹＮＣの“Ｈ”レベル期間が３クロック分以上で立ち上がり、“Ｌ”レベル期間が３クロック分以上で立ち下がる水平検出信号ＨＤ２を出力する。
【００６４】
垂直カウンタ回路１０２は第２のカウント値ＣＮＴ２が所定の範囲にあることを条件に、水平検出信号ＨＤ２が“Ｌ”レベルのときに初期値となり、水平検出信号ＨＤ２の“Ｌ”レベル期間をカウントする第３のカウント値ＣＮＴ３を出力する。
【００６５】
図７は本実施の形態３を用いた液晶表示システム例である。
【００６６】
ポータブルＤＶＤはカーナビゲーションと異なり、複合同期信号ＣＳＹＮＣの周期が乱れにくいことから、同期制御回路は必要なく、また、垂直同期信号ＶＤも入力する必要なく、複合同期信号ＣＳＹＮＣから同期分離すれば安定した周期で映像が表示可能である。
【００６７】
以上説明したように、ポータブルＤＶＤにおいては複合同期信号ＣＳＹＮＣのみ入力することでエッジ検出回路１０１の垂直検出信号ＶＤ２を出力する回路が必要なくなり、回路構成が半分になり、さらに同期制御回路が不必要となり、最適な回路構成で安定した同期分離が可能となる。
【００６８】
なお、図２、図３に示した波形の極性は逆にしてもよい。
【００６９】
なお、エッジ検出回路１０１においてノイズと判定している期間を３クロック分としているが、それに限ったものではない。
【００７０】
【発明の効果】
この発明による同期分離回路によれば、エッジ幅が所定幅以上の水平信号、垂直信号または複合同期信号に限り極性を変えて生成した水平検出信号および垂直検出信号はノイズの影響が排除されたものとなり、これらの信号をもとに水平同期出力信号および垂直同期出力信号を生成するので、いずれもタイミング的に正常な信号となる。その結果、映像表示の安定化を有利に展開できる。
【図面の簡単な説明】
【図１】本発明の実施の形態１における同期分離回路の構成を示すブロック図
【図２】本発明の実施の形態１における同期分離回路の水平同期分離の動作を示すタイミングチャート
【図３】本発明の実施の形態１における同期分離回路の垂直同期分離の動作を示すタイミングチャート
【図４】本発明の実施の形態２における同期分離回路の構成を示すブロック図
【図５】本発明の実施の形態２の同期分離回路を用いた液晶表示システムの構成を示すブロック図
【図６】本発明の実施の形態３における同期分離回路の構成を示すブロック図
【図７】本発明の実施の形態３の同期分離回路を用いた液晶表示システムの構成を示すブロック図
【図８】従来技術の同期分離回路を用いた液晶表示システムの構成を示すブロック図
【図９】従来技術における同期分離回路の構成を示すブロック図
【図１０】従来技術における同期分離回路の水平垂直同期分離の動作を示すタイミングチャート
【符号の説明】
００１，００２，００３  同期分離回路
１０１  エッジ検出回路
１０２  垂直カウンタ回路
１０３，９０１  セレクタ回路
９０３  極性カウンタ回路
９０４  水平カウンタ回路
９０５  マスク作成回路
９０６  水平同期作成回路
９０７  垂直同期作成回路
ＣＳＹＮＣ  複合同期信号
ＨＤ  水平同期信号
ＨＤ１  水平信号
ＨＤ２  水平検出信号
ＨＳ  水平同期出力信号
ＶＤ  垂直同期信号
ＶＤ１  垂直信号
ＶＤ２  垂直検出信号
ＶＤ３  垂直セレクト信号
ＶＳ  垂直同期出力信号
ＭＳ  マスク信号
ＣＮＴ１  第１のカウント値
ＣＮＴ２  第２のカウント値
ＣＮＴ３  第３のカウント値
ＳＥ  セレクト信号
【図１】
2004194093.tif 000003
【図２】
2004194093.tif 000004
【図３】
2004194093.tif 000005
【図４】
2004194093.tif 000006
【図５】
2004194093.tif 000007
【図６】
2004194093.tif 000008
【図７】
2004194093.tif 000009
【図８】
2004194093.tif 000010
【図９】
2004194093.tif 000011
【図１０】
2004194093.tif 000012